(57)【要約】【課題】スキャンされる原稿の位置や向きやレイアウトが変化しても、表示画像の位置や向きやサイズを一定に維持する。【解決手段】画像表示装置１００は、原稿を読み取る読取装置１０３により生成された画像データを表示する。該画像表示装置は、複数の画像データのうち表示する画像データを順次切り替える画像送り手段１０５と、該複数の画像データのうち、所定の表示状態とは異なる表示状態で表示された第１の画像データを該所定の表示状態で表示させるために使用者が行った操作の情報を記憶する記憶手段１０６と、該複数の画像データのうち、画像送り手段によって第１の画像データより後に表示する第２の画像データに対して、該操作の情報に応じた表示処理を行う処理手段１０５とを有する。【選択図】図１
2014145904.tif 000002
【特許請求の範囲】
【請求項１】
原稿を読み取る読取装置により生成された画像データを表示する画像表示装置であって、
複数の前記画像データのうち表示する画像データを順次切り替える画像送り手段と、
前記複数の画像データのうち、所定の表示状態とは異なる表示状態で表示された第１の画像データを前記所定の表示状態で表示させるために使用者が行った操作の情報を記憶する記憶手段と、
前記複数の画像データのうち、前記画像送り手段によって前記第１の画像データより後に表示する第２の画像データに対して、前記操作の情報に応じた表示処理を行う処理手段とを有することを特徴とする画像表示装置。
【請求項２】
前記操作は、前記第１の画像データの表示位置を平行移動させるための操作であり、
前記表示処理は、前記第２の画像データの平行移動処理であることを特徴とする請求項１に記載の画像表示装置。
【請求項３】
前記操作は、前記第１の画像データの表示の向きを回転させるための操作であり、
前記表示処理は、前記第２の画像データの回転処理であることを特徴とする請求項１に記載の画像表示装置。
【請求項４】
前記操作は、前記第１の画像データの表示拡大率を変更するための操作であり、
前記表示処理は、前記第２の画像データの拡大処理であることを特徴とする請求項１に記載の画像表示装置。
【請求項５】
前記記憶手段は、奇数ページの原稿に対して生成された前記第１の画像データと偶数ページの原稿に対して生成された前記第１の画像データに対して使用者により行われた互いに異なる前記操作の情報を記憶し、
前記処理手段は、前記奇数ページの原稿に対して生成された前記第２の画像データと前記偶数ページの原稿に対して生成された前記第２の画像データのそれぞれに対して互いに異なる前記表示処理を行うことを特徴とする請求項１に記載の画像表示装置。
【請求項６】
前記操作は、１つの画像データ内に含まれる前記複数の画像データのうち前記第１の画像データを単独で表示させるための操作であり、
前記表示処理は、前記複数の画像データのうち前記第１の画像データ以外の２以上の前記第２の画像データをそれぞれ単独で所定の順序で表示させる処理であることを特徴する請求項１に記載の画像表示装置。
【請求項７】
前記複数の画像データのまとまりをジョブとするとき、
該ジョブ内の前記複数の画像データの表示が終了することに応じて前記表示処理を終了することを特徴とする請求項１から６のいずれか一項に記載の画像表示装置。
【請求項８】
原稿を読み取る読取装置により生成された画像データを表示する画像表示装置に搭載されたコンピュータに、
複数の前記画像データのうち表示する画像データを順次切り替える画像送り動作と、
前記複数の画像データのうち、所定の表示状態とは異なる表示状態で表示された第１の画像データを前記所定の表示状態で表示させるために使用者が行った操作の情報をメモリに記憶する動作と、
前記複数の画像データのうち、前記画像送り動作によって前記第１の画像データより後に表示される第２の画像データに対して、前記操作の情報に応じた表示処理を行う動作とを実行させるコンピュータプログラムであることを特徴とする画像表示プログラム。
【発明の詳細な説明】
【技術分野】
【０００１】
本発明は、スキャナや複写機により読み込んだ画像を通信により受け取って、ディスプレイに表示したりスクリーン等の被投射面に拡大投射したりする画像表示装置に関する。
【背景技術】
【０００２】
デジタル複写機には、スキャンした画像を複写する機能だけでなく、スキャン画像のデータをファイリングする機能を有するものがある。そして、このような複合機から、スキャン画像のデータを、離れた場所に設置された直視型や投射型の画像表示装置に対して無線または有線通信により送信させ、該画像表示装置にスキャン画像を表示（または投射）させるという使用形態も用いられるようになってきている。特許文献１には、ホワイトボードに描かれた文字や絵を複写機がスキャンし、そのスキャン画像のデータを複合機から投射型画像表示装置に送信して画像として投射させるシステムが開示されている。
【０００３】
また最近では、省資源の観点から、縮小レイアウトでの複写印刷が多く用いられる。縮小レイアウトは、例えば複数枚の画像（原稿）を１枚の複写用紙に印刷する２ｉｎ１（２枚の原稿を１枚の複写用紙に印刷する）等と称される複写印刷方法である。
【先行技術文献】
【特許文献】
【０００４】
【特許文献１】特開２０１１−１６６２０１号公報
【発明の概要】
【発明が解決しようとする課題】
【０００５】
しかしながら、複数枚の原稿を複写機により連続してスキャンする際に、すべての原稿の位置や向き、さらにはレイアウト（通常か縮小か）が揃っていない場合がある。この場合、複写機から画像表示装置に送信されて表示されるスキャン画像（表示画像）の位置や向きやレイアウトが変わるごとに、使用者が表示画像の位置や向きを修正したり表示倍率（サイズ）を変更したりする操作を行うのでは使い勝手が良くない。
【０００６】
本発明は、スキャンされる複数の原稿の位置や向きやレイアウト等が変化しても、使用者の少ない操作負担で表示される画像の位置や向きやサイズを一定に維持することができるようにした画像表示装置を提供する。
【課題を解決するための手段】
【０００７】
本発明の一側面としての画像表示装置は、原稿を読み取る読取装置により生成された画像データを表示する。該画像表示装置は、複数の画像データのうち表示する画像データを順次切り替える画像送り手段と、該複数の画像データのうち、所定の表示状態とは異なる表示状態で表示された第１の画像データを該所定の表示状態で表示させるために使用者が行った操作の情報を記憶する記憶手段と、該複数の画像データのうち、画像送り手段によって第１の画像データより後に表示する第２の画像データに対して、該操作の情報に応じた表示処理を行う処理手段とを有することを特徴とする。
【０００８】
また、本発明の他の一側面としての画像表示制御プログラムは、原稿を読み取る読取装置により生成された画像データを表示する画像表示装置に搭載されたコンピュータに、複数の画像データのうち表示する画像データを順次切り替える画像送り動作と、該複数の画像データのうち、所定の表示状態とは異なる表示状態で表示された第１の画像データを該所定の表示状態で表示させるために使用者が行った操作の情報をメモリに記憶する動作と、該複数の画像データのうち、画像送り動作によって第１の画像データより後に表示される第２の画像データに対して、該操作の情報に応じた表示処理を行う動作とを実行させることを特徴とする。
【発明の効果】
【０００９】
本発明によれば、複数の原稿の読み取り時に原稿の位置や向きやレイアウト等が変化しても、使用者が第１の画像データに対して所定の表示状態で表示させるための操作を行った後は、第２の画像データは自動的に所定の表示状態で表示される。したがって、使用者による少ない操作負担で、位置や向きやレイアウト等が異なる複数の原稿に対応する複数の画像データを所定の表示状態にて表示することができる。
【図面の簡単な説明】
【００１０】
【図１】本発明の実施例１である液晶プロジェクタの構成を示すブロック図。
【図２】実施例１の液晶プロジェクタを操作するために用いられるリモコンを示す図。
【図３】実施例１の液晶プロジェクタにより投射される画像の例を示す図。
【図４】実施例１の液晶プロジェクタにより投射される画像の他の例を示す図。
【図５】実施例１の液晶プロジェクタにおける処理を示すフローチャート。
【図６】本発明の実施例２における２ｉｎ１画像データ（横置き原稿）の例を示す図。
【図７】実施例２における２ｉｎ１画像データ（縦置き原稿）の例を示す図。
【発明を実施するための形態】
【００１１】
以下、本発明の実施例について図面を参照しながら説明する。
【実施例１】
【００１２】
図１には、本発明の実施例１である液晶プロジェクタ（投射型画像表示装置）１００の構成を示している。なお、本実施例では、液晶表示パネルを画像形成素子として用いる液晶プロジェクタについて説明するが、デジタルマイクロミラーデバイスを画像形成素子として用いるプロジェクタ（投射型画像表示装置）、さらにテレビジョンやモニタ等の直視型画像表示装置も本発明の他の実施例に含まれる。
【００１３】
図１には、使用者により操作されて、プロジェクタ１００に対して赤外線による操作信号を発する装置であるリモートコントロール装置（以下、リモコンという）１０１も示している。また、図１には、プロジェクタ１００に対してＤＶＩケーブルを介して接続されたパーソナルコンピュータ（以下、ＰＣという）１０２と、プロジェクタ１００に対してネットワーク１０７を介して接続された複写機１０３も示している。複写機１０３は、複写（コピー）機能だけでなく、原稿（例えば、紙）を読み取って（スキャンして）画像データを生成し、それをファイリングしたり他の装置に送信したりすることが可能な読取装置であり、複合機とも呼ばれる。プロジェクタ１００には、ネットワーク１０７と接続するためのネットワークＩ／Ｆ１０４が設けられている。なお、複写機１０３に代えて、原稿の読取りが可能なスキャナー（読取装置）を用いてもよい。
【００１４】
プロジェクタ１００は、制御部（画像送り手段および処理手段）１０５と、記憶部（記憶手段）１０６と、光学エンジン部１０８と、投射レンズユニット１１０とにより構成されており、これらは内部バスで信号のやり取りが可能に接続されている。
【００１５】
コンピュータとしての制御部１０５は、ＭＰＵ７やＣＰＵにより構成され、フラッシュＲＯＭにより構成された記憶部１０６からコンピュータプログラムである画像表示制御プログラムを読み込んで実行する。
【００１６】
制御部１０５に設けられた映像信号入力部１１２は、ＰＣ１０２から入力されたデジタル映像信号の種類（例えば、ＨＤＭＩやＤＶＩ）に応じた映像信号入力処理を行う。映像信号入力部１１２で取り込まれた映像信号は、映像信号処理部１１３によりＲＧＢ信号にデコードされ、解像度変換や階調補正等の処理が行われる。映像信号処理部１１３から出力された映像信号は、不図示の光源および色分解光学系と色合成光学系１１８とを含む光学エンジン部１０８に設けられた液晶駆動部１１６に入力される。
【００１７】
液晶駆動部１１６は、入力された映像信号に応じて、光学エンジン部１０８内の液晶パネル１１７ｒ，１１７ｇ，１１７ｂを駆動する。これにより、色分解光学系から液晶パネル１１７ｒ，１１７ｇ，１１７ｂにそれぞれ導かれた赤、緑および青の照明光が映像信号に対応する赤、緑および青の画像光に変換され、これら画像光は色合成光学系１１８により合成されて投射レンズユニット１１０に導かれ、該投射レンズユニット１１０により不図示のスクリーン等の被投射面に投射される。これにより、フルカラー画像が被投射面上に表示される。
【００１８】
複写機には、複数枚の原稿の連続した自動読み取りを可能とするために、ＡＤＦ（Auto Document Feeder）と呼ばれる自動原稿供給機構が備えられているものがある。ＡＤＦは原稿の両面の読み取りに対応しているものも多い。そして、複写機の多くは、こうしてまとめて読み取られた複数枚の原稿の画像データを、ひとまとまりの画像データ（画像ファイル群）として複写機内部のハードディスク（ＨＤ）等の記憶媒体に圧縮して保存（ファイリング）する。以下の説明では、この１まとまりの画像ファイル群をジョブと称する。
【００１９】
図２には、リモコン１０１の例を示す。使用者が入力信号選択ボタン２０１を押すと、赤外線ＬＥＤ２００から該ボタン２０１に対応するパターンを有する赤外光信号が射出され、プロジェクタ１００の制御部１０５に設けられた操作信号受付部１１４が該赤外光信号を受信する。制御部１０５は、この受信した赤外光信号が入力選択変更信号であることを解析し、選択メニューが被投射面に投射（表示）されるように液晶駆動部１１６（つまりは液晶パネル１１７ｒ，１１７ｇ，１１７ｂの駆動）を制御する。使用者は、表示された選択メニューを使用してネットワーク１０７上のデバイスを選択することができる。
【００２０】
制御部１０５は、複写機１０３が選択された場合には、記憶部１０６内において１又は複数のジョブがファイリングされているフォルダの中身を表示する。使用者は、このフォルダ内にファイリングされたジョブの中から、表示目的のジョブを選択することができる。制御部１０５は、選択されたジョブ内の複数の圧縮画像データ（以下、単に画像データという）を複写機１０３からネットワーク１０７を介して受信し、該複数の画像データのうち１番目の画像データを記憶部１０６に含まれる投射用フレームメモリ（以下、単にフレームメモリという）に展開する。これにより、展開された１番目の画像データに対応する投射画像が被投射面上に表示される。
【００２１】
使用者がリモコン１０１の送り（順送り）ボタン２０４を押すと、ジョブ内の次の画像データがフレームメモリに展開され、該展開された画像データに対応する投射画像が被投射面上に表示される。また、使用者が戻し（逆送り）ボタン２０５を押すと、１つ前の画像データに対応する投射画像が被投射面上に表示される。つまり、送り／戻しボタン２０４，２０５の操作に応じて、表示される画像データが順次切り替えられるページ切替え（画像送り動作）が行われる。
【００２２】
投射画像の拡大率（サイズ）を変えずに投射位置（表示位置）を平行移動させたい使用者が上／下／左／右移動ボタン２０２，２０３を押すと、リモコン１０１から操作信号受付部１１４に対して該ボタン２０２，２０３に対応したパターンの赤外光信号が入力される。制御部１０５は、この赤外光信号が移動信号であることを解析し、フレームメモリにおいて画像データを展開するアドレスを上、下、左または右に移動させる表示処理（平行移動処理）を行う。これにより、投射画像が被投射面上で上下左右に平行移動する。
【００２３】
投射画像の拡大率を変えずに投射画像を回転させて向きを変えたい使用者が９０°／２７０°回転ボタン２０６，２０７を押すと、リモコン１０１から操作信号受付部１１４に対して該ボタン２０６，２０７に対応したパターンの赤外光信号が入力される。制御部１０５は、この赤外光信号が回転信号であることを解析し、フレームメモリにおいて画像データを展開する回転方向での位置を変更するよう表示処理（回転処理）を行う。これにより、投射画像が被投射面上で９０°または２７０°に回転し、表示の向きが変更される。
【００２４】
投射画像の拡大率を変えたい使用者が拡大／縮小ボタン２０８，２０９を押すと、リモコン１０１から操作信号受付部１１４に対して該ボタン２０８，２０９に対応したパターンの赤外光信号が入力される。制御部１０５は、この赤外光信号が拡大／縮小信号であることを解析し、フレームメモリにおいて画像データを展開する拡大率を変更する表示処理（拡大または縮小処理）を行う。これにより、投射画像が被投射面上で拡大および縮小される。
【００２５】
図３には、本実施例のプロジェクタ１００によって表示される投射画像（画像データ）の例を示す。複写機１０３は、Ａ４サイズの原稿３０５をスキャンして、該原稿３０５の画像データを複写機１０３内のＨＤ等の記憶媒体３０４に保存する。そして、複写機１０３は、この保存した画像データをネットワーク１０７を介してプロジェクタ１００に送信する。プロジェクタ１００は、受信した画像データに対応する画像（投射画像）をスクリーン３０８に投射する。
【００２６】
ここで、複写機１０３において、正しい向きで原稿３０５がスキャンされた場合には、プロジェクタ１００による投射画像も正しい向き（所定の表示状態）で表示されるため、投射画像の向きの変更は不要である。しかし、例えば、原稿３０５がバインダーに綴じられていた複数枚の穴あき原稿である場合には、ＡＤＦを用いたスキャン時に原稿詰まりを起こすことがある。このため、図４に示すように、原稿３１１を１８０度回転させて、穴のない側からスキャンされるように原稿３１１の向きを正しい向きとは異なる向きとすることが多い。この場合にスクリーン３０８に画像を正しい向きで投射するには、取得した画像データを１８０°回転させて投射する必要がある。このため、従来は、使用者が、図２に示したリモコン１０１の９０°／２７０°回転ボタン２０６，２０７を押して投射画像の向きを１８０°変えていた。
【００２７】
前述したように、使用者がリモコン１０１の送りボタン２０４を押すとジョブ内の次の画像データがフレームメモリに展開されるため、プロジェクタ１００は該展開された画像データに対応する画像を投射する。この際、フレームメモリに展開される画像データは、複写機１０３にて上下が反転した原稿３１１をスキャンすることで得られた上下反転画像データである。このため、該上下反転画像データを１８０°回転させた上で１つの前の画像データと同じ条件で投射すれば、スクリーン３０８上に正しい向きの画像が投射される。本実施例のプロジェクタ１００は、このような上下反転画像データや横向き画像データ等、正しい向きとは異なる向きでのスキャンによって得られた画像データを投射する際に、以下の画像表示制御プログラムを実行することで、投射画像の向きを修正する表示処理を自動的に行う。
【００２８】
図５のフローチャートを用いて、制御部１０５の動作について説明する。この動作は、コンピュータプログラムとしての画像表示制御プログラムに従って実行される。ここでは、各画像データの表示拡大率はデフォルトの設定値に維持するものとする。
【００２９】
前述したように使用者がリモコン１０１を通じてネットワーク１０７上のデバイスとして複写機１０３を選択すると、制御部１０５はステップＳ４００にて本画像表示制御プログラムの実行を開始する。
【００３０】
ステップＳ４０２では、制御部１０５は、記憶部１０６内のフォルダにファイリングされたジョブをスクリーン上に表示し、使用者に、表示させたい画像データを含むジョブを選択させる。
【００３１】
次に、ステップＳ４０４では、制御部１０５は、それまで設定されていた、画像データをフレームメモリにて展開する際の拡大率、アドレス（位置）および回転角度（向き）等の表示条件をクリアし、デフォルトの表示条件を設定する。
【００３２】
次に、ステップＳ４０６では、制御部１０５は、ステップＳ４０２で使用者により選択されたジョブ内から１つの画像データ（第１の画像データ：例えばジョブ内の先頭の画像データ）を取得する。
【００３３】
続いて、ステップＳ４０８では、制御部１０５は、ステップＳ４０６で取得した画像データを、表示条件に従ってフレームメモリに展開する表示処理を行う。このときの表示条件は、上記第１の画像データに対してはデフォルトの表示条件であり、画像送り動作によって第１の画像データより後に表示する画像データ（第２の画像データ）に対しては後述するステップＳ４２４にて設定される表示条件である。
【００３４】
次に、ステップ４０８では、制御部１０５は、フレームメモリに展開された画像データに基づいて液晶駆動部１１６に液晶パネル１１７ｒ，１１７ｇ，１１７ｂを駆動させ、該画像データに対応する画像を投射させる。
【００３５】
次に、ステップＳ４１０では、制御部１０５は、リモコン１０１における操作入力（リモコン１０１からの赤外光信号の入力）があったか否かを判別する。操作入力があった場合は、その操作の内容に応じて以下のステップに進む。
【００３６】
上／下／左／右移動ボタン２０２，２０３が操作された場合は、制御部１０５はステップＳ４１２に進む。ステップＳ４１２では、制御部１０５は、フレームメモリにて画像データ（第１の画像データ）を展開するアドレスを、操作された移動ボタン２０２または２０３に対応する上、下、左または右に変更する平行移動処理を行う。これにより、投射画像が、スクリーン上において、操作された移動ボタン２０２または２０３に対応して上、下、左または右に平行移動する。移動ボタン２０２，２０３が操作された回数または長さに応じて平行移動量が変化する。
【００３７】
そして、制御部１０５は、ステップＳ４２２に進み、ステップＳ４１２での操作の情報（上／下／左／右移動ボタン２０２，２０３のうち少なくとも１つが何回またはどれだけの長さ操作されたかを示す情報）を記憶する。
【００３８】
次に、制御部１０５は、ステップＳ４２４に進み、ステップＳ４２２で記憶した操作の情報に応じた表示条件を設定する。制御部１０５は、さらにステップＳ４０８に進むことで、以降の画像データ（第２の画像データ）に対して、ステップＳ４２４にて設定した表示条件（アドレス）に従う平行移動処理を行い、該処理後の画像データをフレームメモリに展開する。
【００３９】
ステップＳ４１０にて９０°／２７０°回転ボタン２０６，２０７が操作された場合は、制御部１０５はステップＳ４１４に進み、フレームメモリにて圧縮画像データ（第１の画像データ）を展開する回転角度を、操作された回転ボタン２０６または２０７に対応する回転角度に変更する。これにより、投射画像が、スクリーン上において、操作された回転ボタン２０６または２０７に対応した向きで表示される。回転ボタン２０６，２０７が操作された回数に応じて回転量が変化する。そして、制御部１０５は、ステップＳ４２２に進み、ステップＳ４１４での操作の情報（９０°／２７０°回転ボタン２０６，２０７のうち少なくとも１つが何回操作されたかを示す情報）を記憶する。
【００４０】
次に、制御部１０５は、ステップＳ４２４に進み、ステップＳ４２２で記憶した操作の情報に応じた表示条件を設定する。そして、制御部１０５は、さらにステップＳ４０８に進むことで、以降の画像データ（第２の画像データ）に対して、ステップＳ４２４にて設定した表示条件（回転角度）に従う回転処理を行い、該処理後の画像データをフレームメモリに展開する。
【００４１】
また、ステップＳ４１０にて入力信号選択ボタン２０１が操作された場合は、制御部１０５はステップＳ４１６に進み、前述した選択メニューを投射させる。そして、ステップＳ４２６に進み、本処理を終了する。
【００４２】
さらに、ステップＳ４１０にて送りボタン２０４または戻しボタン２０５が操作された場合は、制御部１０５はステップＳ４１８に進む。ステップＳ４１８では、制御部１０５は、送りボタン２０４の操作に応じてジョブ内の１つ後の画像データを取得してページ送りを行ったり、戻しボタン２０５の操作に応じて１つ前の画像データを取得してページ戻しを行ったりするためにステップＳ４０６に進む。なお、ページ送りとページ戻しをまとめてページ切替えという。
【００４３】
また、ステップＳ４１０にてリモコン１０１における別のジョブを選択するための操作が行われた場合には、制御部１０５はステップＳ４２０に進み、別のジョブの画像データを取得するためにステップＳ４０２に進む。ステップＳ４０２では、制御部１０５は、データ要求コマンドを発行する等して別のジョブを選択する。
【００４４】
次に、画像データのページ切り替え（特にページ送り）について説明する。制御部１０５は、ステップＳ４２４にて表示条件が設定されると、それ以後はステップＳ４０６で取得した画像データ（第２の画像データ）を、ステップＳ４０８にて、該設定した表示条件に従った表示処理を行ってフレームメモリに展開する。すなわち、同一ジョブ内でページ送りをする場合は、アドレスや回転角度等の表示条件を継続使用する。しかし、ジョブが変更された場合は、原稿のサイズやスキャン方向等のスキャン条件（原稿読取り条件）が変わるので、新たな表示条件を設定する。言い換えれば、ジョブ内の複数（全て）の画像データの表示が終了することに応じて操作の情報に応じた表示処理を終了する。これにより、該ジョブに対して設定した表示条件がリセットされ、当該ジョブでの操作に左右されずに他のジョブに対して適切な表示処理を行うことができる。
【００４５】
また、例えば、Ａ４サイズ短辺綴じの両面原稿を複写機によりスキャンする場合、複写機側で正しいスキャン条件の設定がなされていないと、通常のＡ４サイズ長辺綴じの原稿をスキャンした場合と同様のスキャン画像データが作成されてしまう。この場合において、該スキャン画像データをプロジェクタにより投射するに際して、奇数ページの原稿に対して生成された画像データは２７０°回転させることにより、偶数ページの原稿に対して生成された画像データは９０°回転させることでそれぞれ正しい向きで表示される。従来は、ページ送りの操作をするごとに、使用者は投射画像の向きが正しくないことを見て、リモコン１０１において２７０°又は９０°の回転操作をしていた。
【００４６】
これに対して、本実施例では、制御部１０５は、ページ送りごとの回転操作を操作の情報として記憶し（ステップＳ４１４）、ステップＳ４２４にて、該回転操作が行われた後の回転角度で画像データがフレームメモリに展開されるように、奇数ページと偶数ページごとに異なる表示条件を設定する。このため、ページ送りごとに投射画像が自動的に正しい向きに回転した状態で表示され、ページ送りごとの使用者による回転操作を不要とすることができる。
【００４７】
なお、使用者により第１の画像データの表示拡大率を変更するための拡大／縮小ボタン２０８，２０９の操作が行われた場合に、第２の画像データに対する表示処理として拡大または縮小処理を行うようにしてもよい。
【実施例２】
【００４８】
本発明の実施例２について図６および図７を用いて説明する。なお、本実施例において、実施例１と共通する構成要素には、実施例１と同符号を付す。図６には、縮小レイアウト（ここでは、例として２ｉｎ１のレイアウトとする）で原稿スキャンを行って取得された画像データ７００，７０４を示している。これら２ｉｎ１画像データ７００，７０４はそれぞれ、１ページの画像データ内に複数（２ページ）の原稿の画像データ（以下、原稿画像データという）を含んでいる。
【００４９】
この場合において、使用者によるページ送りの操作に応じたページ切替えモードとして、２ｉｎ１画像データ全体を切り替え表示する１ページモードと、２ｉｎ１画像データ内の原稿画像データごとに切り替え表示する２ページモードとがある。１ページモードと２ページモードはそれぞれ、使用者がリモコン１０１に設けられた「１」キー２１１と「２」キー２１２を操作することで切り替えられる。なお、リモコン１０１の操作によらず、２ｉｎ１画像データにおけるページ区切りや外枠を検出することで自動的にページ切り替えモードを切り替えるようにしてもよい。
【００５０】
１ページモードでは、アドレス７０２からの２ｉｎ１画像データ７００全体を表示している場合に使用者によりリモコン１０１の送りボタン２０４が操作されると、アドレス７０５からの２ｉｎ１画像データ７０４全体の表示に切り替わる。
【００５１】
一方、２ページモードでは、２ｉｎ１画像データのうち１ページの原稿画像データを自動的に拡大して単独で（所定の表示状態で）表示する。つまり、表示条件としての拡大率を２倍に自動的に設定する。２ページモードの選択操作により、２ｉｎ１画像データ７００のアドレス７０２からの「１」ページの原稿画像データ（第１の画像データ）が拡大表示されているとする。このとき、送りボタン２０４が操作されると、同じ２ｉｎ１画像データ７００のアドレス７０３からの「２」ページの原稿画像データ（第２の画像データ）の拡大表示に切り替わる。これ以降、「２」ページの原稿画像データが拡大表示されているときに送りボタン２０４が操作されると、次の２ｉｎ１画像データ７０４のアドレス７０５からの「３」ページの原稿画像データ（第２の画像データ）の拡大表示に切り替わる。さらに、送りボタン２０４が操作されると、同じ２ｉｎ１画像データ７０４のアドレス７０６からの「４」ページの原稿画像データ（第２の画像データ）の拡大表示に切り替わる。
【００５２】
つまり、２ページモードでは、現在拡大表示されている原稿画像データが２ｉｎ１画像データ内の奇数ページのものであれば、ページ送り操作によって同一の２ｉｎ１画像データ内の偶数ページの原稿画像データが拡大表示される。また、現在拡大表示されている原稿画像データが２ｉｎ１画像データ内の偶数ページのものであれば、ページ送り操作によって次の２ｉｎ１画像データ内の奇数ページの原稿画像データが拡大表示される。こうして第１の画像データ以外の２以上の第２の画像データをページ順に順次単独で表示させる表示処理が行われる。
【００５３】
このように、本実施例では、ページ切り替えモードを選択することにより、ページ送り操作によって表示が切り替わる画像データの単位を適宜変更することができる。しかも、２ページモードが選択されることで自動的に拡大率が２倍に設定されるので、ページ送り操作ごとに使用者が拡大操作を行う必要をなくすることができる。
【００５４】
また、図７には、２ｉｎ１画像データ７１０が２ページの縦置き原稿画像データ７１２，７１３を含み、同様に２ｉｎ１画像データ７１４が２ページの縦置き原稿画像データ７１５，７１６を含む場合を示している。この場合、図６の場合と同様に１ページモードと２ページモードの切り替えが可能であるが、いずれのモードにおいても、ページ送り操作ごとに画像データを自動的に９０度回転させて表示するように表示条件を設定する。２ページモードにおいて拡大率が２倍に自動的に設定される点は、図６の場合と同じである。
【００５５】
２ページモードでは、２ｉｎ１画像データ７１０のアドレス７１３からの「１」ページの原稿画像データが９０°回転表示されているときに送りボタン２０４が操作されると、アドレス７１２からの「２」ページの原稿画像データの９０°回転表示に切り替わる。また、「２」ページの原稿画像データが表示されているときに送りボタン２０４が操作されると、次の２ｉｎ１画像データ７１４のアドレス７１６からの「３」ページの原稿画像データの９０°回転表示に切り替わる。さらに、送りボタン２０４が操作されると、アドレス７１５からの「４」ページの原稿画像データの９０°回転表示に切り替わる。
【００５６】
このように本実施例では、ページ切替えモードの選択により、ページ送り操作によって表示が切り替わる画像データの単位を適宜変更することができる。また、２ページモードでは、図６に示した横置き原稿画像データを表示する場合とはアドレス移動の順序を変更する。さらに、ページ送り操作ごとに表示する画像データを９０°回転させるので、使用者は容易に正しい向きでのページ送りを行うことができる。
【００５７】
そして、上記各実施例によれば、使用者による少ない操作負担で、位置や向きやレイアウト等が異なる複数の原稿に対応する複数の画像データを一定（所定）の表示状態にて表示することができる。
【００５８】
以上説明した各実施例は代表的な例にすぎず、本発明の実施に際しては、各実施例に対して種々の変形や変更が可能である。
【産業上の利用可能性】
【００５９】
本発明は、ファイリングされた画像データを少ない操作負担で良好に表示できる画像表示装置を提供できる。
【符号の説明】
【００６０】
１００  液晶プロジェクタ
１０１  リモコン
１０３  複写機
１０５    制御部
１０６    記憶部
【図１】
2014145904.tif 000003
【図２】
2014145904.tif 000004
【図３】
2014145904.tif 000005
【図４】
2014145904.tif 000006
【図５】
2014145904.tif 000007
【図６】
2014145904.tif 000008
【図７】
2014145904.tif 000009